(57)【要約】【課題】マルチ映像装置の目地を目立たなくするような光学部材を提供すること。【解決手段】  複数の表示装置１０ａ、１０ｂが所定の目地を介して隣接して並べられて全体として１つの大画面を形成するマルチ映像装置の前記目地に設けられる光学部材５０において、前記表示装置の端面１０３a、１０３ｂから前記目地方向に出射される一部の映像光を、当該表示装置の表示光の方向に擬似光１４０ａ、１４０ｂとして反射する反射面５１ａ、５１ｂを備え、前記目地の空隙に取付けられる。【選択図】図３（Ａ）
2014062928.tif 000002
【特許請求の範囲】
【請求項１】
複数の表示装置が所定の目地を介して隣接して並べられて全体として１つの大画面を形成するマルチ映像装置の前記目地に設けられる光学部材において、
前記表示装置の端面から前記目地方向に出射される一部の映像光を、当該表示装置の表示光の方向に擬似光として反射する反射面を備え、前記目地の空隙に取付けられる
ことを特徴とする光学部材。
【請求項２】
前記隣接する一方の表示装置の端面から出射される映像光を前記表示光の方向に反射する第１の反射面と、前記隣接する他方の表示装置の端面から出射される映像光を前記表示光の方向に反射する第２の反射面とを、前記反射面としてそれぞれ備える
ことを特徴とする請求項１に記載の光学部材。
【請求項３】
前記光学部材は、前記表示装置の表示面に向かう方向の端部に三角形断面で形成される反射部を有し、前記反射部の頂角を挟んで一方の斜面が前記第１の反射面で、前記反射部の他方の斜面が前記第２の反射面である
ことを特徴とする請求項２に記載の光学部材。
【請求項４】
前記光学部材は、前記反射部の後端に、当該光学部材を前記表示装置間の目地に取付けるための取付部を有し、前記取付部は前記表示装置を保護するカバー部材に取付けられる
ことを特徴とする請求項３に記載の光学部材。
【請求項５】
前記三角形断面の反射部に、前記反射部で反射された擬似光を前記表示装置の表示面の方向に導く導光部を備えた、
ことを特徴とする請求項３に記載の光学部材。
【請求項６】
前記光学部材は、前記表示装置の表示面に向かう方向と逆方向の端部に、内側に２つの斜面を有し、前記第１の反射面が前記斜面の一方で、前記第２の反射面が前記斜面の他方である
ことを特徴とする請求項２に記載の光学部材。
【請求項７】
前記光学部材は、前記表示装置の表示面に沿った細長い目地に対応して、前記反射方向に直交する方向に前記反射面が延在する形状である
ことを特徴とする請求項１乃至６のいずれか1項に記載の光学部材。
【請求項８】
前記第１の反射面及び前記第２の反射面は、ミラー蒸着面である
ことを特徴とする請求項１乃至７のいずれか1項に記載の光学部材。
【請求項９】
請求項１乃至８のいずれか1項に記載された前記光学部材を、前記表示装置の目地に取付けた
ことを特徴とするマルチ映像装置。
【発明の詳細な説明】
【技術分野】
【０００１】
本発明は、マルチ映像装置の画面間に生じる目地を目立たなくする技術に関する。
【背景技術】
【０００２】
マルチ映像装置は、複数の表示装置をマトリクス状に並べて配置したものから構成されて、全体で１つの大画面として表示されるものである。マルチ映像装置には、並べられた表示装置の表示面間に非表示部分（目地とも呼ばれる）が原理的に存在するが、目地は画面に横線あるいは縦線となって目立ちやすいので、目地の幅をできるだけ詰めるように構造上工夫されている。
【０００３】
例えば、目地を目立たせないようにするために、端部のネジ止め位置に透明なスペーサを用いたプロジェクタ装置が提案されている（特許文献１）。
【先行技術文献】
【特許文献】
【０００４】
【特許文献１】特開平４−３６９６３１号公報
【発明の概要】
【発明が解決しようとする課題】
【０００５】
マルチ映像装置で表示面間の隙間である目地幅は、極力少ないことが望ましいが、目地幅を、物理的に狭くすることには限界がある。
本願発明は、上記課題に鑑み、マルチ映像装置の目地を目立たなくするような光学部材を提供することを目的とする。
【課題を解決するための手段】
【０００６】
上記目的を達成するために、複数の表示装置が所定の目地を介して隣接して並べられて全体として１つの大画面を形成するマルチ映像装置の前記目地に設けられる光学部材において、前記表示装置の端面から前記目地方向に出射される一部の映像光を、当該表示装置の表示光の方向に擬似光として反射する反射面を備え、前記目地の空隙に取付けられることを特徴とする。
【発明の効果】
【０００７】
本発明によれば、マルチ映像装置の目地を目立たなくするような光学部材を提供することで、一部の映像漏れ光（または映像の漏れ混色光）を光学部材により反射し、目地部も擬似発光することで、より一体感のあるマルチ画面を提供できる。
【図面の簡単な説明】
【０００８】
【図１】本発明の光学部材が適用されるマルチ映像装置による表示例を示す図である。
【図２】自発光表示タイプの表示装置に光学部材を適用した例を説明する図である。
【図３（Ａ）】図２（Ｂ）のＤ部分の拡大図で、自発光表示タイプの表示装置１０の目地部分を拡大した図である。
【図３（Ｂ）】自発光表示タイプの場合の画面の目地から前面方向に擬似光が出射される様子を斜視図で模式的に示す図である。
【図４】バックライト投射タイプの表示装置に光学部材を適用した例を説明する図である。
【図５（Ａ）】図４（Ｂ）のＥ部分の拡大図で、バックライト投射タイプの表示装置２０での目地部分を拡大した図である。
【図５（Ｂ）】バックライト投射タイプの場合の画面の目地から前面方向に擬似光が出射される様子を、図５Ａを更に模式的に示し、判りやすくした図である。
【図６】光学部材５０の形状を示す斜視図である。
【図７】光学部材５０の他の形状例を示す斜視図である。
【図８】目地の交差する部分での、光学部材５０の端部の組み合わせ例を示す図である。
【発明を実施するための形態】
【０００９】
以下、図面に従って本発明の実施形態を説明する。図１は、本発明の光学部材が適用されるマルチ映像装置による表示例を示す図である。図１（Ａ）は、従来のマルチ映像装置３００による表示例を示す図である。マルチ映像装置３００は、複数の表示装置１０が所定の目地を介して隣接して並べられて全体として１つの大画面を形成するものである。本例では、表示装置１０が縦横に３枚ずつ並んで構成されたマルチ映像装置３００を示す。
【００１０】
１枚の表示装置１０は、例えば、４０インチ相当のサイズで、横８０３ｍｍｘ縦６００ｍｍである。なお、マルチ映像装置の表示装置１０を配列位置に応じて区別して呼ぶ場合には、上の列の中央にある表示装置１０を表示装置１０ａと表示し、その下の表示装置１０を表示装置１０ｂと表示する。その他の場合には、まとめて表示装置１０と呼ぶ。
【００１１】
縦横各隣接する表示装置１０の間には、全て目地３０が存在する。複数の表示装置１０を並列に配置する関係から、目地３０を無くすることができないからである。これまでのマルチ映像装置３００では、表示装置１０間に存在する目地３０が、そのまま表示画像間の非表示領域であった。目地３０を含む表示装置１０ａと表示装置１０ｂの一部について、縦方向にＡＡの位置で断面した図を図２（Ａ）に示す。
【００１２】
図１（Ｂ）は、本発明の光学部材が適用されるマルチ映像装置１による表示例を示す図である。本発明の光学部材が適用されるマルチ映像装置１においても、表示装置１０間には図１（Ａ）と同様に物理的な目地３０が存在する。詳細は後述するが、目地３０に光学部材を取り付けることにより、目地３０による非表示領域が図１（Ａ）の場合のマルチ映像装置３００に比べて目立なくすることができる。目地３０を含む表示装置１０ａと表示装置１０ｂの一部について、縦方向にＢＢの位置で断面した図を図２（Ｂ）に示す。
【００１３】
マルチ映像装置１の表示方式としては、自発光表示タイプ（プラズマ表示やＥＬ表示）やバックライト投射タイプ（液晶表示）等多様であるが、いずれに対しても本実施形態の光学部材は適用可能である。以下では、自発光表示タイプとバックライト投射タイプを分けて、説明する。
【００１４】
図２は、自発光タイプ（ここではプラズマ方式）の表示装置１０に光学部材を適用した例を説明する図である。図２は、自発光タイプの表示装置１０における目地３０を挟んで隣接する表示装置１０の部分の構造について、従来の構造と本実施形態の構造を対比して説明する図である。なお、以下で、表示装置１０の表示面側を前側、背面側を後側と表現する。
【００１５】
図２（Ａ）は、図１（Ａ）の従来のマルチ映像装置３００でのＡＡ断面部分を拡大した図である。上側の表示装置１０ａと下側の表示装置１０ｂは、同一構造で、ガラス管発光素子１０２、ガラス管緩衝材１０４、バックフレーム１０６、保護金具１１０を有する。
【００１６】
ガラス管発光素子１０２は、表示装置１０の前面に設けられ、内部には自発光タイプの表示素子が封入される。ガラス管緩衝材１０４は、ガラス管発光素子１０２を振動や衝撃から保護するための部材である。ガラス管緩衝材１０４は、シリコン系の緩衝材で、ガラス管発光素子１０２を背面から支えるように、ガラス管発光素子１０２の裏側に一定間隔で並べられて配置される。バックフレーム１０６は、表示装置１０の全体を背面から支える構造物である。バックフレーム１０６の内部は、軽量化のためのアルミハニカム構造体になっている。
【００１７】
保護金具１１０は、金属板（例えばステンレス）からなり、表示装置１０の背面の一部と側面の全周で覆うカバー部材である。保護金具１１０の表示面側の先端は、ガラス管発光素子１０２の前面と略同一面となる位置である。
【００１８】
上側の表示装置１０ａと下側の表示装置１０ｂの目地３０の幅は、１．０ｍｍ〜２．０ｍｍ程度である。目地３０の幅は、表示装置１０ａ、１０ｂと保護金具１１０の間隔、保護金具１１０の板厚や保護金具１１０間の間隙等の積算による。
【００１９】
図２（Ｂ）は、図１（Ｂ）の本実施形態のマルチ映像装置１でのＢＢ断面部分を拡大した図である。本実施形態のマルチ映像装置１において、表示装置１０の内部構造は、図２（Ａ）と同一であるので、説明は省略する。本例では、保護金具１０８の前側の先端部分を短くして、ガラス管発光素子１０２の位置よりも後側まで後退させ、その代りに光学部材５０を取り付けた。目地３０の入口付近に取付けられた光学部材５０のＤ部分を拡大して、図３（Ａ）に示す。
【００２０】
図３（Ａ）は、図２（Ｂ）のＤ部分の拡大図で、自発光タイプの表示装置１０での目地部分を拡大した図である。保護金具１０８とガラス管発光素子１０２を上下で区別するために、表示装置１０ａに対応して保護金具１０８ａ及びガラス管発光素子１０２ａとし、表示装置１０ｂに対応して保護金具１０８ｂとガラス管発光素子１０２ｂと表す。画像表示中には、ガラス管発光素子１０２ａからは、画像の表示光である映像光１３０ａが、本図で見て左方向に発光される。ガラス管発光素子１０２ｂからも同様に、映像光１３０ｂが、左方向に発光される。
【００２１】
前述のように、保護金具１０８ａと保護金具１０８ｂの前面側の先端は、ガラス管発光素子１０２の裏面の手前までの長さとなっている。これにより、ガラス管発光素子１０２ａの端面１０３ａと、ガラス管発光素子１０２ｂの端面１０３ｂが、露出される。端面１０３ａはガラス管自体あるいはガラス管に保護用の透明シートが設けられた状態で、透明な状態である。
【００２２】
ガラス管発光素子１０２ａの端面近傍で発光される映像光の一部が、左方向だけでなく端面１０３ａから漏れて、目地３０の方向（本図で下方向）に出射される。ガラス管発光素子１０２ｂの端面１０３ｂについても同様で、ガラス管発光素子１０２ｂの端面近傍の映像光の一部が、左方向だけでなく端面１０３ｂから漏れて、目地３０の方向（本図で上方向）に出射される。端面１０３ａ、１０３ｂより漏れる映像光の一部は目地端部近傍の画素（ドット）光と近似した漏れ光である。
【００２３】
目地３０の空隙には、光学部材５０が取り付けられる。光学部材５０は、表示装置の端面１０３ａ、１０３ｂから漏れて目地方向に出射される光を、表示装置の表示光の方向に反射する反射面を備えるものである。光学部材５０は、前記表示装置の表示面に向かう方向（前側方向）の端部に、三角形断面の反射部５１を有し、反射部５１の頂角９０度を挟んで対称に一方の斜面に反射面５１ａが、他方の斜面に反射面５１ｂが形成されている。
【００２４】
反射部５１の上側の斜面を構成する反射面５１ａは、隣接する一方の表示装置である表示装置１０ａの表示面の端面１０３ａから出射される光を表示光の方向に反射する第１の反射面となる。反射面５１ｂは、隣接する他方の表示装置である表示装置１０ｂの表示面の端面１０３ｂから出射される光を表示光の方向に反射する第２の反射面である。
【００２５】
端面１０３ａから目地３０方向に漏れた映像光は、反射部５１の反射面５１ａによって９０度反射されて、擬似的な映像光である擬似光１４０ａとして表示光の方向である左方向に出射される。端面１０３ｂから目地３０方向に漏れた映像光も、同様に反射部５１の反射面５１ｂによって９０度反射されて、擬似的な映像光である擬似光１４０ｂとして表示光の方向である左方向に出射される。
【００２６】
図６は、光学部材５０の形状を示す斜視図である。図６（Ａ）は、図３Ａで示す光学部材５０と同様な方向から見た図である。図６（Ｂ）は、前側から光学部材５０を見た斜視図で、図６（Ｃ）は、後側から光学部材５０を見た斜視図である。なお、図６（Ｂ）の符号５６で示される部品は、図４で説明するバックライト投射タイプの表示装置に適用される光学部材５０に使用される部品であるので、詳細は後述する。
【００２７】
図６（Ａ）に示すように、光学部材５０の前側先端の反射部５１には、それぞれ４５°の角度で反射面５１ａ、５１ｂが形成される。反射部５１の後側には、断面で見て、反射面５１ａ、５１ｂに連続する水平な面から、それぞれ一段凹んだ平行な面からなる取付部５２が設けられる。取付部５２が、前記表示装置１０を保護するカバー部材である保護金具１０８ａと１０８ｂの間に挟み込まれて、光学部材５０は目地３０の空隙に取り付けられる。
【００２８】
光学部材５０は、表示装置１０の表示面の辺の方向に沿って細長い部材である（図６（Ｂ））。長さは、例えば５００〜１０００ｍｍである。なお、４０インチサイズの表示装置１０では約８００ｍｍｍである。これまでの説明では、目地３０が水平方向の場合を説明してきたが、垂直方向の目地３０に対しては、光学部材５０の向きを、垂直に立てて取り付ければ当然に適用できる。
【００２９】
光学部材５０は、例えば透明樹脂の成型品（例えば、ポリカーボネイト）である。透明樹脂で成型すれば、反射部５１は、そのままでも反射面となる。さらに、反射部５１の反射面５１ａ、５１ｂをミラー蒸着面とすれば、より反射率が向上する。反射面は、ミラー蒸着以外に、金属メッキや塗装によって形成してもよい。
【００３０】
図３（Ｂ）は、自発光表示タイプの場合の画面の目地から前面方向に擬似光が出射される様子を斜視図で模式的に示す図である。表示装置のエッジにあるガラス管発光素子から出射され、光学部材５０によって反射される擬似光が表示装置の各辺に沿って出射される様子を、わかりやすく説明するための図である。表示装置の前面側から見た図である。
【００３１】
上側の表示装置１０ａと下側の表示装置１０ｂの水平方向に伸びる目地３０の間に、光学部材５０が取付けられている。上側の表示装置１０ａと向かって左側の表示装置１０ｃの垂直方向に伸びる目地３０の間にも、光学部材５０が取付けられている。
【００３２】
本図で、ガラス管発光素子１０２ａ、１０２ｂの各画素を画素１０５ａ、画素１０５ｂとして、便宜上四角の箱で表す。画素１０５ａ、画素１０５ｂは、縦横方向にそれぞれ一定間隔で配列されている。ここでは、上下端の画素と、左右端の画素のみ示す。
【００３３】
下端の水平に並んだ画素１０５ａからの各映像光の一部は表示方向だけでなく端面１０３ａを通過し、光学部材５０の反射面５１ａで反射されて、擬似光１４０ａとして前面側から出射される。各画素１０５ａからの映像光は、光学部材５０によって一定方向に反射されるので、擬似光１４０ａは、水平な方向の目地３０に沿って水平方向に整列された光線の束として出射される。
【００３４】
同様に、下側の表示装置１０ｂの上端に並んだ画素１０５ｂからの映像光の一部も、表示方向だけでなく端面１０３ｂを通過し、光学部材５０の反射面５１ｂで反射されて、擬似光１４０ｂとして、目地３０に沿って水平方向に整列された光線の束として出射される。
【００３５】
垂直方向も同様である。上側の表示装置１０ａの左端に縦方向に並んだ画素１０５ａからも、擬似光１４０ａとして、垂直方向の目地３０に沿って、垂直方向に整列された光線の束として出射される。
【００３６】
このように、自発光表示タイプの目地３０に取付けられた光学部材５０によって、映像光１３０ａ、１３０ｂの空隙である目地３０の領域から、映像光１３０ａ、１３０ｂの目地端部近傍の画素（ドット光）に近似した擬似光１４０ａ、１４０ｂが出射されるので、色の違い、輝度差の無い擬似光となり、目地の存在を目立たなくすることができる。
【００３７】
図４は、バックライト投射タイプの表示装置に光学部材を適用した例を説明する図である。図４は、バックライト投射タイプの表示装置における目地３０を挟んで隣接する表示装置の部分の構造について、従来の構造と本実施形態の構造を対比して説明する図である。なお、バックライト投射タイプの表示装置を、自発光の表示装置１０と区別するために、上側を表示装置２０ａ、下側を表示装置２０ｂと、符号を変えて表示する。
【００３８】
図４（Ａ）は、図１（Ａ）の従来のマルチ映像装置３００でのＡＡ断面を拡大した図である。ただし、表示装置は、バックライト投射タイプの表示装置２０に代わっている。上側の表示装置２０ａは、液晶パネル２００、バックライト２０２、導光板２０４、光ファイバーレンズ２０６、フレネルレンズ２０８、透明樹脂板２１０、第１スクリーン２１２、第２スクリーン２１４、保護金具２２０を有する。下側の表示装置２０ｂは、上側の表示装置２０ａと同一構造であるので、上側の表示装置２０ａを代表して説明する。
【００３９】
液晶パネル２００は、透過型の液晶パネルで、液晶への電圧印加により透過する光を制御することで画像を表示させる。バックライト２０２は、液晶パネル２００に与える透過光を発生させる光源である。バックライト２０２は、例えば、４本１組の白色の蛍光管で、蛍光管の長手方向が紙面に直交する方向で、表示装置２０ａの内部の何か所かに配置される。バックライト２０２は、本図では上方向に光を放射する。バックライト２０２は、ＬＥＤでもよい。
【００４０】
導光板２０４は、バックライト２０２から照射された光を、均等に液晶パネル２００の背面に導くガイドである。導光板２０４は、例えば透明な樹脂材で構成される。導光板２０４は液晶パネル２００の背面に設けられ、バックライト２０２から垂直方向に放射された光を水平方向に反射して、液晶パネル２００の背面から表示面方向に向かって進行させるように、導くガイドである。
【００４１】
光ファイバーレンズ２０６は、液晶パネル２００から出射された映像光をフレネルレンズ２０８まで導くためのガイドである。液晶パネル２００による映像光を、表示面で拡大するためである。光ファイバーレンズ２０６は、液晶パネル２００の前側に液晶パネル２００全体とほほ同一サイズで設けられる。
【００４２】
フレネルレンズ２０８は、表面に形成された微小なプリズムによって、光ファイバーレンズ２０６から出射された内部光Ｒを屈折させて、表示面の所定の位置に結像させる平面状のレンズである。フレネルレンズ２０８は、光ファイバーレンズ２０６の前面を覆うように密着して設けられる。
【００４３】
透明樹脂板２１０は、第１スクリーン２１２及び第２スクリーン２１４を支える補強板である。第１スクリーン２１２は、フレネルレンズ２０８から出た内部光Ｒを、第２スクリーン２１４に結像させるフレネルレンズである。第１スクリーン２１２は、平坦な背面が透明樹脂板２１０に密着され、前面側に微小なプリズムが形成されている。
【００４４】
第２スクリーン２１４は、レンチキュラーレンズで、表示装置２０ａの最前面に配置され、液晶パネル２００による映像光が表示される表示面である。第２スクリーン２１４は、第１スクリーン２１２のプリズム面側に密着される。
【００４５】
保護金具２２０は、金属板(例えばステンレス板)からなり、表示装置２０aの側面の全周を覆うカバー部材である。上側の表示装置２０ａと下側の表示装置２０ｂの目地３０の幅は、１．０ｍｍ〜２．０ｍｍ程度である。目地３０の幅は、保護金具２２０の板厚や保護金具２２０間の間隙等の積算による。保護金具２２０の前面側の先端は、第２スクリーン２１４の前面と略同一面となるような位置である。
【００４６】
図４（Ｂ）は、図１（Ｂ）の本実施形態のマルチ映像装置１でのＢＢ断面を拡大した図である。ただし、表示装置は、バックライト投射タイプの表示装置２０に代わっている。本実施形態のマルチ映像装置１において、表示装置２０ａと表示装置２０ｂの基本構造は、図４（Ａ）と同一であるので、説明は省略する。本例では、保護金具２１８の前側の先端部分を後ろ側に後退させて、透明樹脂板２１０の厚さの中間ぐらいまでの長さとし、その代りに光学部材５０を取り付けた。目地３０に取付けられた光学部材５０のＥ部分を拡大して、図５（Ａ）に示す。
【００４７】
図５（Ａ）は、図４（Ｂ）のＥ部分の拡大図で、バックライト投射タイプの表示装置２０での目地部分を拡大した図である。前述のように、保護金具２１８の上下である保護金具２１８ａ、２１８ｂの前側の先端は、透明樹脂板２１０ａの厚さの中間ぐらいまでの長さになっている。表示装置２０ａの目地３０の面には、スクリーン固定フィルム２１６ａ，２１６ｂが貼りつけられる。スクリーン固定フィルム２１６ａは、表示装置２０ａの底部を保護する透明樹脂である。
【００４８】
保護金具２１８ａ，２１８ｂが後退した箇所に、光学部材５０が取付けられる。光学部材５０は、三角断面形状の反射部５１と、反射部５１の後側に設けられる取付部５２と、反射部５１の前側に設けられる導光部５６を有する。光学部材５０の形状は、前述した図６を参照のこと。バックライト投射タイプ用の光学部材５０は、前述した自発光用の光学部材５０に、さらに、導光部５６が追加されたものである。
【００４９】
バックライト投射タイプでは、表面からやや奥まって位置に配置された透明樹脂板２１０ａ，２１０ｂの内部通過時に混合された漏れ光を擬似光として利用するため、擬似光の途中での拡散を防止し、集光することが望ましい。そのため、反射部５１の先に導光部５６を設けた。導光部５６は、奥まった位置で反射された擬似光２４０ａ、２４０ｂを、表示装置２０の前面まで導くためのガイドである。なお、導光部５６の形状は一例でありこれに限らない。また導光部５６は、省略することも可能であるが、省略した場合には擬似発光の輝度が低下する。
【００５０】
導光部５６は断面形状で、後端が反射部５１の反射面にかぶせるような凹んだ形状で、前側端面は凸レンズ形状になっている。なお、前側端面は、フラットな形状であっても良い。導光部５６は、例えば、透明樹脂の成型品である。バックライト投射タイプ用の光学部材５０は、反射部５１と取付部５２を備える成形品に、導光部５６を接着等で組み立てられて構成される。
【００５１】
透明樹脂板２１０ａの端面２１１ａから目地３０方向に漏れた一部の映像混合漏れ光は、反射部５１の反射面５１ａによって表示光の方向である左方向に９０度反射される。そして、導光部５６でガイドされて、映像混合漏れ光は擬似光２４０ａとして目地３０の上側から外部に出射される。
【００５２】
同様に、透明樹脂板２１０ｂの端面２１１ｂから目地３０方向に漏れた一部の映像混合漏れ光も、反射部５１の反射面５１ｂによって表示光の方向である左方向に９０度反射される。そして、導光部５６でガイドされて、映像混合漏れ光は擬似光２４０ｂとして目地３０の下側から外部に出射される。
【００５３】
このように、目地３０に取付けられた光学部材５０によって、映像光２３０ａ、２３０ｂの空隙である目地３０の領域から、映像光２３０ａ、２３０ｂが透明樹脂板２１０ａ、２１０ｂの端面２１１ａ、２１１ｂより擬似光２４０ａ、２４０ｂとして出射されるので、目地の存在を目立たなくすることができる。
【００５４】
バックライト投射タイプの場合の擬似光２４０ａ、２４０ｂは、映像光が透明樹脂板２１０ａ、２１０ｂの内部を通過する際に結像点より外れた光や内面反射した光が、混ざった光なので、映像光と擬似光は、色の違い、輝度差は発生するが、発光することにより目地の存在を目立たなくすることは図３（B）と同様である。
【００５５】
図５（Ｂ）は、バックライト投射タイプの場合の画面の目地から前面方向に擬似光が出射される様子を、図５（Ａ）を更に模式的に示し、判りやすくした図である。なお、導光部５６として、図５（Ａ）よりも短い長さのもので、２枚を貼り合わせたタイプの例を示す。
【００５６】
バックライト２０２より出射された光が、各構成部材・レンズ群を通過する過程にて、光学特性上または製造精度のズレなどにより、透明樹脂板２１０ａ、２１０ｂの端面２１１ａ、２１１ｂ方向へ漏れる光（Ｒ２）と透明樹脂板２１０ａ、２１０ｂの内面反射光（Ｒ１）の混ざった光となり、光学部材５０により反射され、擬似光となる様子を、わかりやすく説明するための図である。反射される擬似光が表示装置の各辺に沿って出射される様子は図３Ｂと同様である。
【００５７】
図４（Ａ）、（Ｂ）のＲはバックライト投射され、液晶パネル２００のある画素１点から拡散出射され、レンズ群を通過し第１スクリーン前面側である１点に結像する光の軌跡を描いた線を示す。
【００５８】
このＲ光は、実際には結像点から外れる様々な角度で、透明樹脂板を通過する。その際に透明樹脂板２１０ａ、２１０ｂの端面２１１ａ、２１１ｂ方向へ混合漏れ光として出射される。図５（Ｂ）のＲ1は、光学設計された正規の結像光、すなわち映像光２３０ａ、２３０ｂを表す。Ｒ２は光学特性上または製造精度のズレなどにより、透明樹脂板２１０ａ、２１０ｂの端面２１１ａ、２１１ｂ方向へ漏れる光と透明樹脂板２１０ａ、２１０ｂの内面反射光の混ざった光（混合漏れ光）、すなわち擬似光２４０ａ、２４０ｂを表す。
【００５９】
図７は、光学部材の他の形状例を示す図である。この光学部材６０は、部材の内側で反射させるタイプのものである。光学部材６０は、例えば、透明樹脂の一体成型品で構成される。光学部材６０は、前記表示装置の表示面に向かう方向と逆方向（後ろ側）の端部に、内側にえぐられるような２つの反射面を有し、上側の反射面６１ａが傾斜４５度で光学部材５０の第１の反射面に相当し、下側の反射面６１ｂが傾斜４５度で光学部材５０の第２の反射面に相当する。
【００６０】
また、光学部材６０の上面６３ａ及び下面６３ｂは互いに平行な面になっていて、光学部材６０の前側の面６２は凸レンズ状になっている。前側の面６２は、平坦であってもよい。また、反射面６１ａ、６１ｂには、光学部材５０と同様に、ミラー蒸着等で反射膜を形成するようにしてもよい。
【００６１】
光学部材６０は、光学部材５０と同様に、表示装置１０の表示面の辺の方向に沿って細長い部材である（図７（Ｂ）、（Ｃ））。長さも、例えば５００〜１０００ｍｍである。また、垂直方向の目地３０に対しては、光学部材６０の向きを、垂直に立てて取り付けることで適用できる。
【００６２】
この光学部材６０を、図３（Ａ）の自発光タイプの表示装置１０で光学部材５０の代わりに適用すれば、端面１０３ａ、１０３ｂからの漏れ光が、端面１０３ａ、１０３ｂに対向する上面６３ａ、下面６３ｂを通過して、それぞれ反射面６１ａ、反射面６１ｂで反射されて、光学部材６０の内部を通過して、擬似光１４０ａ、１４０ｂとして、目地３０から外部に出射される。
【００６３】
同様に、図４のバックライト投射タイプの表示装置２０に適用すれば、擬似光２４０ａ、２４０ｂが目地３０から外部に出射される。また、図４のバックライト投射タイプの表示装置２０に適用する場合には、斜面の部分から前側の面６２までの距離を長くすることで、導光部５６が不要になる。
【００６４】
図８は、目地の交差する部分での、光学部材５０の端部の組み合わせ例を示す図である。図１（Ｂ）のマルチ映像装置１のＣ部を拡大した図で、表示装置１０ａ、表示装置１０ｂ、表示装置１０ａの右隣の表示装置１０ｃ及び表示装置１０ｂの右隣の表示装置１０ｄの、計４つの表示面に囲まれた十字の部分である。図８（Ａ）は光学部材５０の組み合わせの第１の例で、図８（Ｂ）は光学部材５０の組み合わせの第２の例である。
【００６５】
ここで、表示装置１０ａと表示装置１０ｂ間、及び表示装置１０ｃと表示装置１０ｄ間の設けられた水平方向の光学部材をそれぞれ光学部材５０Ｈとし、表示装置１０ａと表示装置１０ｃ間、及び表示装置１０ｂと表示装置１０ｄ間に設けられた垂直方向の光学部材をそれぞれ光学部材５０Ｖとする。
【００６６】
図８（Ａ）に示す第１の例は、交差部分で水平方向か垂直方向のいずれかの光学部材の端部を突き合せるようにするものである。ここでは、水平方向の光学部材５０Ｈ同士の側端を突き合せるようにし、垂直方向の光学部材５０Ｖの端部は水平方向の光学部材５０Ｈに対応した長さにした例である。逆に、垂直方向の光学部材５０Ｖ同士の端部を突き合せるようにしてもよい。
【００６７】
図８（Ｂ）に示す第２の例は、水平方向の光学部材５０Ｈ及び垂直方向の光学部材５０Ｖの端部を全て９０度の尖った角度の形状にして、交差部分で、９０度の端部が互いに組み合わさるようにしたものである。以上のように目地３０の交差部分でも、光学部材５０により目地が充填されるので、交差部分でも目地３０を目立たなくすることができる。
【００６８】
以上のように、本実施形態による光学部材をマルチ映像装置の目地に取付けることにより、目地近傍の映像光と同等な輝度や色を供える擬似光が目地から射出されるので、マルチ映像装置の観衆に目地の存在を目立たなくすることができる。
【００６９】
以上説明した実施形態により、少なくとも以下の効果が奏せられる。
１）本実施形態による光学部材は、自発光方式やバックライト投射タイプのいずれにも対応できるので、多様なマルチ映像装置に適用できる。
２）本実施形態による光学部材は、樹脂の成型品で実現できるので、大きなコストの増加を招かない。
３）本実施形態による光学部材によれば、表示装置に対する変更箇所も少ないので、現行のマルチ映像装置への適用も容易である。
【００７０】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００７１】
１，３００  マルチ映像装置
１０，２０  表示装置
１０ａ，１０ｂ，１０ｃ，１０ｄ，２０ａ，２０ｂ  表示装置
３０  目地
５０，６０  光学部材
５１  反射部
５１ａ，５１ｂ，６１ａ，６１ｂ  反射面
５２  取付部
５６  導光部  
６２  面
６３ａ  上面
６３ｂ  下面
１０２  ガラス管発光素子
１０２ａ，１０２ｂ  ガラス管発光素子
１０３  端面
１０３ａ，１０３ｂ  端面
１０４  ガラス管緩衝材
１０６  バックフレーム
１０８，１１０  保護金具
１３０、２３０  映像光
１３０ａ，１３０ｂ，２３０ａ，２３０ｂ  映像光
１４０，２４０  擬似光
１４０ａ，１４０ｂ，２４０ａ，２４０ｂ  擬似光
２００  液晶パネル
２０２  バックライト
２０４  導光板
２０６  光ファイバーレンズ
２０８  フレネルレンズ
２１０  透明樹脂板
２１０ａ，２１０ｂ  透明樹脂板
２１１  端面
２１１ａ，２１１ｂ  端面
２１２  第１スクリーン
２１４  第２スクリーン
２１６  スクリーン固定フィルム
２１６ａ，２１６ｂ  スクリーン固定フィルム
２１８，２２０  保護金具
２１８ａ，２１８ｂ，２２０  保護金具
【図１】
2014062928.tif 000003
【図６】
2014062928.tif 000004
【図７】
2014062928.tif 000005
【図８】
2014062928.tif 000006
【図２】
2014062928.tif 000007
【図３（Ａ）】
2014062928.tif 000008
【図３（Ｂ）】
2014062928.tif 000009
【図４】
2014062928.tif 000010
【図５（Ａ）】
2014062928.tif 000011
【図５（Ｂ）】
2014062928.tif 000012